(57)【要約】【課題】米を簡単に、かつ、正確に計量することのできる計量カップを提供する。【解決手段】有底筒状の樹脂製の計量カップ本体１と、計量カップ本体１の顎状部３と嵌合可能に形成された樹脂製の蓋体１１とから構成し、蓋体１１に計量カップ本体１に係合する支点係合部１４が接続部１３を介して設け、接続部１３を湾曲形状として蓋体１１の厚みよりも薄く又は支点係合部１４の幅よりも狭く形成し、蓋体１１を計量カップ本体１の開口面２と蓋体１１の下端面１７とを略同一面に保持したまま計量カップ本体１上で回動自在に設けた。【選択図】　　図１
2004077178.tif 000002
【特許請求の範囲】
【請求項１】
有底筒状の計量カップ本体と、蓋体とからなる計量カップであって、前記蓋体には係合部が設けられ、接続部は薄く又は狭く形成され、前記蓋体は前記計量カップ本体上で回動自在に設けられたことを特徴とする計量カップ。
【発明の詳細な説明】
【０００１】
【発明の属する技術分野】
本発明は、米を計量する計量カップに関する。
【０００２】
【発明が解決しようとする課題】
従来、米を計量する際は、有底筒状の米を計量する計量カップを用いて、まず米を計量カップに山盛り状に入れ、つぎにすりきり棒、箸、水平部分を有する食器、又は指ですりきって計量するか、或いは適当に目分量で計量していた。このため、米を計量する度にすりきり棒などを別途用意する手間が発生したり、或いは計量の正確性を欠いたりするという問題があった。その結果、米の量が規定量より多くなると硬めに炊けたり、少なくなると軟らかめに炊けたりと、米の炊飯状態へ悪影響を及ぼしていた。
【０００３】
そこで本発明は、米を簡単に、かつ、正確に計量することのできる計量カップを提供することを目的とする。
【０００４】
【課題を解決するための手段】
本発明の請求項１記載の計量カップによれば、蓋体には係合部が設けられているので、蓋体が計量カップ本体と分離して紛失することがない。また、計量カップ本体上で蓋体を回動させ、蓋体をすりきりとして用いることで、米を一動作で簡単に、かつ、正確に計量することができる。さらに、接続部は薄く又は狭く形成されており、接続部に柔軟性を持たせることができ、計量カップ本体の開口縁部に蓋体を容易に嵌合させることができ、計量カップの保管時に蓋体が邪魔になることがない。
【０００５】
【発明の実施形態】
以下、本発明の計量カップの一実施例について、図１から図４を参照しながら説明する。１は樹脂製の計量カップ本体であり、有底筒状であって上部の開口面２において円形に開口している。計量カップ本体１の開口面２の周縁には開口縁部たる顎状部３が形成され、計量カップ１の一側上方には腕部４が外側に向かって設けられている。腕部４は、計量カップ１から水平に延びてから垂直に折れて上方へ延び、開口面２よりも高い位置で計量カップ１から離れる方向に水平に折れて延びている。そして、腕部４の開口面２より高い位置の水平の部分によって上腕部５が形成され、上腕部５の略中央には円形の孔部６が設けられている。
【０００６】
１１は樹脂製の蓋体であり、円形に形成されている。蓋体１１の周縁には計量カップ本体１の顎状部３と嵌合可能な嵌合縁部１２が下向きに形成され、蓋体１１の一側には接続部１３を介して係合部たる支点係合部１４が設けられている。接続部１３は湾曲形状に形成され、接続部１３の厚みｔ２は蓋体１１の厚みｔ１よりも薄く形成されている。また、接続部１３の幅は支点係合部１４の幅よりも狭く形成されている。支点係合部１４には、下向きに凸部１５が設けられており、凸部１５は計量カップ本体１の孔部６に挿入されて係合している。なお、凸部１５は孔部６から容易に抜けることのないように、先端部が太く形成されている。そして、計量カップ本体１の開口面２と、蓋体１１の嵌合縁部１２の下端により形成される下端面１７とを略同一面に保持したまま、蓋体１１は計量カップ本体１上で支点係合部１４を中心に回動自在に設けられている。
【０００７】
次に、上記実施例における作用を説明する。米の計量時には、図３および図４に示すように、米２１を計量カップ本体１に山盛り状に入れ、つぎに、計量カップ本体１の開口面２と、蓋体１１の下端面１７とを略同一面に保持したまま、蓋体１１を計量カップ本体１上で支点係合部１４を中心に回転させる。すると、蓋体１１の嵌合縁部１２が、計量カップ本体１の開口面２より高い位置にある米２１を押しのけて計量カップ本体１の外に追いやる。すなわち、蓋体１１がすりきりとして作用する。
【０００８】
また、計量後は、図２に示すように、計量カップ本体１の顎状部３に蓋体１１の嵌合縁部１２を嵌合させ、計量カップ本体１と蓋体１１とを一体にして保管する。このとき、樹脂製の蓋体１１の接続部１３は、湾曲形状であって、蓋体１１の厚みｔ１よりも薄く又は支点係合部１４の幅よりも狭く形成されているので、同一材料でありながら蓋体１１や支点係合部１４よりもより柔軟性を有しており、蓋体１１の計量カップ本体１への嵌合を阻害しないように変形する。また、計量カップ本体１および蓋体１１は樹脂製であり、ある程度の柔軟性を有するので、蓋体１１を計量カップ本体１へ嵌合させる際にある程度変形して嵌合される。
【０００９】
また、製造時において、計量カップ本体１および蓋体１１は樹脂製であり、ある程度の柔軟性を有するので、支点係合部１４における計量カップ本体１と蓋体１１との係合の際には孔部６と凸部１５とが適宜変形することで、上腕部５に支点係合部１４が容易に挿入され、挿入後は凸部の太い先端部が孔部６からの抜け止めとして作用する。
【００１０】
以上のように、本実施例によれば、有底筒状の樹脂製の計量カップ本体１と、この計量カップ本体１の開口縁部たる顎状部３と嵌合可能に形成された樹脂製の蓋体１１とからなる計量カップであって、前記蓋体１１には前記計量カップ本体１に係合する支点係合部１４が接続部１３を介して設けられ、前記接続部１３は湾曲形状であって前記蓋体１１の厚みよりも薄く又は前記支点係合部１４の幅よりも狭く形成され、前記蓋体１１は前記計量カップ本体１の開口面２と前記蓋体１１の下端面１７とを略同一面に保持したまま前記計量カップ本体１上で回動自在に設けられている。
【００１１】
蓋体１１は接続部１３を介して設けられた支点係合部１４が計量カップ本体１に係合しているので、蓋体１１が計量カップ本体１と分離して紛失することがない。また、計量カップ本体１の開口面２と蓋体１１の下端面１７とを略同一面に保持したまま計量カップ本体１上で蓋体１１を回動させ、蓋体１１をすりきりとして用いることで、米２１を一動作で簡単に、かつ、正確に計量することができる。さらに、樹脂製の蓋体１１の接続部１３は湾曲形状であって、蓋体１１の厚みｔ１よりも薄く又は支点係合部１４の幅よりも狭く形成されており、接続部１３に柔軟性を持たせたことで、計量カップ本体１の開口縁部たる顎状部３に蓋体１１を容易に嵌合させることができ、計量カップの保管時に蓋体１１が邪魔になることがない。さらに、計量カップ本体１と蓋体１１は樹脂製であり、樹脂はある程度の柔軟性を有するので、支点係合部１４における計量カップ本体１と蓋体１１との係合、および、計量カップ本体１の開口縁部たる顎状部３における蓋体１１の嵌合が容易にできる。
【００１２】
本発明は上記実施例に限定されるものではなく、本発明の要旨の範囲において種々の変形実施が可能である。
【００１３】
【発明の効果】
本発明の請求項１記載の計量カップによれば、蓋体には係合部が設けられているので、蓋体が計量カップ本体と分離して紛失することがない。また、計量カップ本体上で蓋体を回動させ、蓋体をすりきりとして用いることで、米を一動作で簡単に、かつ、正確に計量することができる。さらに、接続部は薄く又は狭く形成されており、接続部に柔軟性を持たせることができ、計量カップ本体の開口縁部に蓋体を容易に嵌合させることができ、計量カップの保管時に蓋体が邪魔になることがない。
【図面の簡単な説明】
【図１】本発明の計量カップの一実施例を示す蓋体を開けた状態の断面図である。
【図２】同上蓋体を閉めた状態の断面図である。
【図３】同上蓋体を回動させた状態の上面図である。
【図４】同上米を計量している状態の断面図である。
【符号の説明】
１　計量カップ本体
２　開口面
３　顎状部（開口縁部）
１１　蓋体
１３　接続部
１４　支点係合部（係合部）
１７　下端面
【図１】
2004077178.tif 000003
【図２】
2004077178.tif 000004
【図３】
2004077178.tif 000005
【図４】
2004077178.tif 000006